(57)【要約】【課題】  この発明は、着用者自身の単純な操作で簡単かつ容易にしかも素早く着装が可能であり、雨具あるいは防寒具以外にも幅広く利用することができるコート及びそれに類する着衣を提供するものである。【解決手段】  この発明に係るコート及びそれに類する着衣は、身体の前部分と脇部分を覆うシート状の前身頃部１と、この前身頃部１から連続して背中の上側を覆うように対称的に設けられた左右後身頃部２ａ、２ｂとよりなり、左右後身頃部２ａ、２ｂには適宜長さを有する索状体６ａ、６ｂが一体的に設けられ、また、その上方には前身頃部１に形成される襟部４が延設されて一方の終端を形成し、少なくとも一方の索状体６ｂが対応する後身頃部２ａの肩口付近に設けられる差込部５を挿通して前身頃部１側に延設され、また、他方の索状体６ａが肩口を通って前身頃部１側に延設されて、この索状体６ａ、６ｂの操作で着想されるものである。【選択図】      図１
2006132067.tif 000002
【特許請求の範囲】
【請求項１】
肩から膝の辺りまで伸びて身体の前部分と脇部分を覆う程度の広がりをもったシート状の前身頃部と、この前身頃部から連続して肩口から腕部を、また少なくとも背中の上側を覆うように設けられた左右後身頃部とよりなり、前記左右後身頃部はその自由端側には適宜長さを有する索状体がそれぞれ一体的に設けられ、上方には前身頃部の上端に形成される開口縁部に設けられる襟部が延設されて一方の終端を形成し、少なくともいずれか一方の索状体が対応する左右後身頃部の肩口付近に設けられる差込部を挿通して前身頃部側に延設され、また、他方の索状体が肩口を通って前身頃部側に延設され、左右後身頃部を横方向に開いて緩めて、円形状の開口部より頭部を挿通して、差込孔を挿通して前身頃部側に垂設される索状体を引き下げて左右後身頃部を重ね合わせて着用してなることを特徴とするコート及びそれに類する着衣。
【発明の詳細な説明】
【技術分野】
【０００１】  本発明は、雨具あるいは防寒具として車椅子に腰掛けている身障者や老齢者でも自身で簡便に着用され、また幅広い用途として利用できるコート及びそれに類する着衣に関する。
【背景技術】
【０００２】  従来、車椅子を利用する身障者や老齢者が着用する雨用あるいは防寒用のコートは種々のものがある。【０００３】  すなわち、前側は左右が重ね合わされる重合部を設けた身頃に形成され、身頃の重合する表裏接合面には複数の着脱ファスナーがお互いに対向するように配設されている（例えば、特許文献１参照。）。【０００４】  また、前身頃と後身頃から構成され、脇を縫い合せ、上部には頭部を通すため、また、両袖には腕部を通すため、また足元をすっぽりと包み込むため後ろ身頃に開口部をそれぞれ有したものがある（例えば、特許文献２参照。）。【０００５】
【特許文献１】特開平１１−２５６４０８号公報
【特許文献２】特開２００１−４０５１０号公報
【発明の開示】
【発明が解決しようとする課題】
【０００６】  しかしながら従来のこの種のコートは、利用者自身が着用できるように、その多くがフロント部分を開放したものが採用され、着用した際雨水や風が等を防ぐように、前身頃を重ね合わせて複数の着脱ファスナーで固定したり、胴周りの部分にベルトを廻したりしているため、身障者や老齢者が着装するには体力的なこともあって、時間がかかり、また、きちんと正確に着用することが難しかった。【０００７】  本発明の目的は、身体に障害のある人や腕の力が弱い老齢者が他の人の助けを借りることなく、着用者自身の単純な操作で、立った状態でも、座った状態でも簡単かつ容易にしかも素早く短時間での着装が可能であり、かつ、雨具あるいは防寒具として以外にも部屋での利用する部屋着等幅広く着用することができるコート及びそれに類する着衣を提供するものである。
【課題を解決するための手段】
【０００８】  上記目的を達成するため、本発明に係るコート及びそれに類する着衣は、肩から膝の辺りまで伸びて身体の前部分と脇部分を覆う程度の広がりをもったシート状の前身頃部と、この前身頃部から連続して肩口から腕部を、また少なくとも背中の上側を覆うように設けられた左右後身頃部とよりなり、前記左右後身頃部はその自由端側には適宜長さを有する索状体が一体的に設けられ、その上方には前身頃部の上端に形成される開口縁部に設けられる襟部が延設されて一方の終端を形成し、少なくともいずれか一方の索状体が対応する左右後身頃部の肩口付近に設けられる差込部を挿通して前身頃部側に延設され、また、他方の索状体が肩口を通って前身頃部側に延設され、左右後身頃部を横方向に開いて緩め、円形状の開口部より頭部を挿通して、差込部を挿通して前身頃部側に垂設される索状体を引き下げて左右後身頃部を重ね合わせて着用してなることを特徴とするものである。
【発明の効果】
【０００９】  上記の構成を有することにより、本発明に係るコート及びそれに類する着衣によれば、左右後身頃部に設けたいずれか一方の索状体を挿通して前身頃部側に垂設し、前身頃部の上端に形成されている開口部に頭部を挿通して被り、左右後身頃部から延設された索状体を引き下げるだけで、背中側に位置されている左右後身頃部及び襟部が引き寄せられて重なり合い、また、襟部が首周りにフィットされた状態で着用されるもので、立ったままの状態のみならず、車椅子に腰掛けているとき、あるいは着座しているときでも、着用者自身の操作で、容易にしかも正確に着装することができるものである。【００１０】  着装の際にも重ね合わせ部の位置決めをしたり、ホックやファスナーで固定したりすることなく、コートを被り、背中側での操作を不要として、前側で係止索を引っ張るだけの動作で着用されることにより、着装のための動作が最小限に抑えられ、しかも強い力を必要とせず、着用者自身の簡単な動作で素早く短時間のうちに着装され、車椅子を利用している身体の不自由な人や老齢者でも介護者の手を煩わせることなく着用することができ、とくに急な降雨や移動途中における防寒用に適することができるものである。【００１１】  さらに、その主体部分である前身頃部が、肩から膝の辺りまで伸びて身体の前部分と脇部分を覆う程度の広がりをもったシート状に形成され、雨や風が当たり易い前側に切り込み部や終端部の合せ面がなく、身体に雨の雫や風が侵入されず、身体を保護することができるものである。【００１２】  さらに、背中部の上側を覆う後身頃部と前身頃部とは、縫合等の手段で一体的に連続される単純な構造体を採用することにより、裁断、縫合等の製造工程を簡易化してコストを低減し、また、着用者の体形に合わせたものを容易に製造することができる。【００１３】  さらに、シート状の前身頃部への模様、イラスト等の付加、あるいは、襟の形状の変化、前身頃部や左右後身頃部の外縁部の形状の変化等の様々なバリエーションが可能であり、しかも、素材等を変えることにより、外出時の防寒コートやレインコート以外部屋着等の簡単な上着としても用いられ、幅広い利用が可能となるものである。
【発明を実施するための最良の手段】
【００１４】  図１は、本発明に係るコート及びそれに類する着衣の前側を示す正面略示図であり、図２は、同じく背面側の正面略示図であり、図３は背面側を展開した状態を示す正面略示図である。
【００１５】  本発明に係るコート及びそれに類する着衣は、高い撥水性と防汚性を有し、かつ保温性に優れた素材を用いて製せられるもので、肩から膝の辺りまで伸びて身体の前部分と脇部分を覆う程度の広がりをもった略シート状の前身頃部１と、この前身頃部１から縫合等の手段で連続して肩口から腕部を、また背中の上側を覆うように対称的に一体的に設けられる略台形状の左右後身頃部２ａ、２ｂとより構成されている。
【００１６】  左右後身頃部２ａ、２ｂは、その自由端側の上縁には、前身頃部１の上端部と協同して頭部を挿通する円形状の開口部３に取付けられる帯状の襟部４が延設され、この襟部４の終端部付近には適宜長さを有する帯状のベルト体からなる左右の索状体６ａ、６ｂが縫合等の手段で一体的に設けられている。
【００１７】  左右後身頃部２ａ、２ｂに設けられて肩口を通って前身頃部１の前側に延設される左右の索状体６ａ、６ｂは、その少なくともいずれか一方の索状体、すなわち、図２において、右側の左後身頃部２ａの下面に潜り込むように重ね合わされる右後身頃部２ｂの右索状体６ｂは、対応する左後身頃部２ａの縫合部７の肩口付近に切り込み状に穿設される孔部よりなる差込部５を挿通して、前身頃部１側に延設され、また、左後身頃部２ａの左索状体６ａは、右後身頃部２ｂの縫合部分の肩口の上面に沿って前身頃部１側に延設されている。
【００１８】  着装する際には、左右の索状体６ａ、６ｂの一方が差込部５に挿通している状態で、左右後身頃部２ａ、２ｂを横方向に開いて緩め、円形状の開口部３を大きくして頭部を挿通し、次に前身頃部１側に垂設されて、その一方が差込部５を挿通している左右索状体６ａ、６ｂを両手で持って引き下げることにより、背中側に位置されている左右後身頃部２ａ、２ｂと襟部４は少なくともその略半部が重ね合わせられて着用されるものである。
【００１９】  左右後身頃部２ａ、２ｂにそれぞれ設けられて、前身頃部１の前側に略並列状に垂設される索状体６ａ、６ｂは、引き下げて左右後身頃部２ａ、２ｂを重ね合わせた後巻き取ってマフラー感覚で着用することができる。
【００２０】  また、左右の索状体６ａ、６ｂは、適宜長さの帯状のベルト体で説明したが、これに限らず、デザイン性をもたせた紐類、防寒性を有するマフラーやスカーフやそれらに近似するものを使用してもよい。
【００２１】  なお、差込係止される左右索状体６ａ、６ｂのいずれか一方は、差込部５を挿通する部位をやや幅狭とし、その他は輻広ものを選択することも可能であり、また、差込部５を挿通する右索状体６ａと肩に乗せて延設する索状体６ｂとを別素材、別形状とするものでもよい。
【００２２】  また、一方の素状体６ａを挿通する差込部５は、前身頃部１と左後身頃部２ａとの縫合部分に孔部を穿設するもので説明したが、別途取付けられる環状あるいは帯状等の差込片を取付けてなるものでもよい（図示せず）。
【００２３】  さらに、前身頃部１は風や雨を通さない堅牢な素材を用いて、主として降雨の際のレインコートとして、また防寒用のコートとして用いられる以外、素材やデザインあるいは裏地を種々変更することにより外出着としてばかりでなく、部屋の中で着用する普段着としても、またファッション性を高めたおしゃれ着としても利用されるものである。
【００２４】  さらには、前身頃部１の裏側、あるいは左右後身頃部２ａ、２ｂと合わせて適宜着脱可能なインナーを取付けることが可能であり、着用目的に応じた様々のコート又はそれに類するバリエーションのある着衣として利用することができる。
【００２５】  加えて、左右後身頃部２ａ、２ｂは、その丈を背中の上部側のみに限らず、前身頃部１と同様その丈を長くしたり、外観形状を変更したり、また、前身頃部１と着脱可能にしたりすることが可能である。
【００２６】  なお  着用者が自力で着用することで説明したが、無論、付き添いの介護者が着装させる場合においても、簡便かつ迅速に着用されるものである。
【００２７】  雨や風を考慮して頭部を保護するフードを着脱可能又は左右後身頃部２ａ、２ｂのいずれか一方、とくに重ね合わせたとき上側にくる後身頃部２ｂに固着するものであってもよい（図示せず）。
【図面の簡単な説明】
【００２８】
【図１】本発明に係るコートの前側を示す正面略示図である。
【図２】同じく背面側の正面略示図である。
【図３】同じく背面側において展開した状態を示す正面略示図である。
【符号の説明】
【００２９】      １        前身頃部      ２ａ      左後身頃部      ２ｂ      右後身頃部      ３        開口部      ４        襟部      ５        差込部      ６ａ      左索状体      ６ｂ      右索状体      ７        縫合部
【図１】
2006132067.tif 000003
【図２】
2006132067.tif 000004
【図３】
2006132067.tif 000005